(57)【要約】    【課題】  腰を全くかがめることなく、楽な姿勢で篭の装着、取り外しができる、高齢者にとって使い勝手の良い、篭付きの手押車を提供することを目的とする。    【解決手段】  一対の前輪及び後輪を取り付けたバスケット載置台と、門形の把持杆と、バスケット載置台に立設した門形フレ−ムと、門形フレ−ムに取り付けた蓋と、大型のバスケット状篭を支持する支持杆及び連結杆から構成され、蓋とバスケット支持杆を連結杆で連結するのである。    【選択図】  図１
2006347474.tif 000002
【特許請求の範囲】
【請求項１】
車輪を取り付けたバスケット載置台に立設した門形フレ−ム杆に把持部を取り付けたハンドル杆及び係止杆を、係止板を有するブラケットを介して回動自在に取り付け、
蓋を門形フレ−ム杆に回動可能に取り付けると共に、蓋に取り付けた連結杆とＬ形脚を有する門形のバスケット支持杆を回動可能に取り付けたことを特徴とする大型バスケット付き手押車。
【請求項２】
門形フレ−ムハンドル杆の略水平状に延出させた脚部に車輪を取り付けて形成した下部フレ−ムにバスケット載置台を備えつけ、
把持部を有する門形フレ−ムハンドル杆の上方に回動可能に取り付けた蓋と、Ｌ形脚を有する門形のバスケット支持杆を回動可能に連結杆で連結したことを特徴とする大型バスケット付き手押車。
【発明の詳細な説明】
【技術分野】
【０００１】
本発明は店内ショッピングカ−にもなる、バスケットを備えた手押車に関する。
【背景技術】
【０００２】
女性や老人は手押車を使用してス−パ−マ−ケット等を訪れる場合が多い。店内に入ると店内専用のショッピングカ−トと持参の手押車を交換し、そのショッピングカ−トに店内備えつけのバスケットを載置して買物を行っている。手持ちの手押車と店内専用ショッピングカ−トを交換する手間や店内のバスケットから自分の手押車へと荷物を積み換える手間を省くためにバスケット状の篭を取り外し可能に装着した手押車がある。
【特許文献１】特願２００３−４０６８８０
【発明の開示】
【発明が解決しようとする課題】
【０００３】
ス−パ−での買物の際には店内専用バスケットから手持ちの手押車の収納袋への移し替え作業が行われ、この作業が高齢者にとって過大な負担となっている。このような状況に鑑み、同、出願人は手押車の座面下にス−パ−のバスケット様の篭を取り外し可能に装着し、レジで当該篭に商品の移し替えを行ってもらい、そのまま商品の入った篭を持ち運び、家では篭を取り外して台所等にそのまま持ち込むことのできる手押車を創作した（特願２００３−４０６８８０参照）。
【０００４】
この発明においてはバスケットが手押車の座面下に装着されているため、バスケットの取り外し、装着にはある程度腰をかがめる作業が必要となり、高齢者にはこういった前かがみの姿勢をとることが非常な負担、苦痛となる場合がある。  そこで、本発明では腰を全くかがめることなく、楽な姿勢で篭の装着、取り外しができる手押車を提供することを目的とする。
【課題を解決するための手段】
【０００５】
請求項１に係る篭付き手押車１は、一対の前輪及び後輪を取り付けたバスケット載置台と、門形の把持杆と、バスケット載置台に立設した門形フレ−ムと、門形フレ−ムに取り付けた蓋と、大型のバスケット状篭を支持、固定する支持杆と、バスケット支持杆と蓋とを連結する連結杆及び大型バスケットから構成される。蓋を上げると連結杆によってバスケット支持杆が下がり、載置台からバスケットを取り外すことができるのである。
【０００６】
請求項２記載の発明は、門形フレ−ムハンドル杆のほぼ水平に延出した両脚に車軸で連結した、一対の前輪後輪を取り付け、この上部にバスケット載置台を取り付ける。次に門形フレ−ムハンドル杆の上方に、蓋を回動自在に取り付け、大型バスケットを支持固定する支持杆と蓋とを連結杆で連結するのである。
【発明の効果】
【０００７】
１、蓋の開閉とバスケット支持杆の動きが連動するため、蓋を開けるとバスケット支持杆が下がって、バスケットが取り外し可能となる。バスケット載置台にバスケットを載置して蓋を閉じるとバスケット支持杆が上がって、バスケットが載置台から落下しないようにこれを支持する。従って全く、腰をかがめることなく、立ち姿勢のままで荷物を収納したバスケットの着脱が可能である。
２、大型バスケットをそのまま店内へ持ち込み、店内備えつけのバスケットをこの大型バスケットの蓋部分に載置できる。店内バスケットから直接当該篭内に商品を詰め替えてもらうことができ、詰め替え作業及びレジ袋が不要でそのまま車のトランクや家へと運び込むことができ、便利である。
３、大型バスケットを使用するため、商品を大量に収納することができ、トイレットペ−パ−、ティッシュ等のような大型で嵩張る荷物の収納も容易である。又、大型バスケットの蓋の上に荷物を載置することもできる。
４、一対の前輪及び後輪を有する台車状のフレ−ムにバスケット載置台を載せるだけで本発明の手押車のフレ−ム構造が完成し、製造が容易である。
【発明を実施するための最良の形態】
【０００８】
次に、本発明の最適な実施の形態について図面を参照しながら詳細に説明する。
【０００９】
図１から図５が本発明の実施の形態を示し、図４及び図５がハンドル杆を傾けた状態を示し、図６が手押車１のフレ−ム構造を示す説明図である。
【００１０】
バスケット１７を載置する載置台４には一対の前輪２−２、及び後輪３−３が取り付けられており、当該載置台４の後方に一対のブラケットを介して門形のフレ−ム杆６を立設する。フレ−ム杆６の上部に取り付けた一対のブラケット７−７に把持部８を嵌合したハンドル杆９−９を揺動自在に取り付ける。
【００１１】
手押車停車時や収納時はハンドル杆９−９を立てた状態とし、押進するときやバスケットを取り外しするために蓋を開ける時は図４及び図５に示すようにハンドル杆９−９を所望角度まで傾けるのである。
【００１２】
図７がハンドル杆９の揺動操作部を示す一部拡大説明図である。
【００１３】
門形フレ−ム杆６の上部に取り付けた一対のブラケット７−７には係止板１１が一体的に設けられており、門形の係止杆１０の屈曲させた先端１０ａを係止する溝１１ａが数箇所設けられている。
【００１４】
ブラケット７−７を連結する連結杆１２と係止杆１０に一対のバネ１３を張架する。
【００１５】
使用者は把持部８に位置する係止杆１０の把持部１０ｂ（図６）を把持して手前に引き寄せながら係止杆の先端１０ａを係止板の溝１１ａから外して所望の角度までハンドル杆９を倒した後、係止杆１０を開放するとバネ１３に付勢された係止杆１０の先端部１０ａが係止板の溝１１ａに嵌合しハンドル杆９は所望角度まで傾き、固定されるのである。
【００１６】
また、図９に示すようにバスケット１７を外してハンドル杆９を１８０度後に回転させると小さく折り畳むことができ、便利である。
【００１７】
手押車１の蓋１４は図８に示すように蓋の凹部１４ａを門形フレ−ム杆６の上方に回動自在に枢着し、蓋の後方に連結杆１６の一端１６ａを連結し、他端１６ｂはバスケット支持杆５の折曲部５ｂに回動可能に連結ネジ１８又はリベット（図示せず）で枢着する。
【００１８】
連結杆１６は平板である。連結杆１６には両端部１６ａ及び１６ｂを側面視においてＬ形形状に折り曲げた丸棒を使用しても良い。上方の折曲端を蓋１４の通孔（図示せず）と、下方の折曲端をバスケット支持杆５の通孔（図示せず）に挿通してネジで連結し、あるいは先端にキャップを嵌合して連結するのである。
【００１９】
蓋１４は木製又は合成樹脂材製であって、大型バスケット１７の上面に嵌合するように被せるため、蓋１４を閉めたときはほぼ水平状態となる。従って店内備えつけのバスケット１５（図２）を安定的に載置できるのである。さらに、バスケット１５の持ち手１５ａを立ち上げてベルト１９でハンドル杆９の把持部にくくり付けると、より安定感が増し、バスケット１５が蓋１４の上から落下することなく、安心して買物ができる。また、蓋１４は布或はビニルクロスのカバ−（図示せず）で覆っても良い。
【００２０】
バスケット１７はバスケット支持杆５によってバスケット載置台４上に支持、固定されている。バスケット支持杆５はＬ形の脚を有する門形杆であって、両脚端は載置台４にブラケット（図示せず）を介して回動可能に固定されている。
【００２１】
バスケット１７をバスケット載置台４上に載置し、押進或は停車しているときは（図４）支持杆５は連結杆１６によって引き上げられた状態にあり、バスケット１７は支持杆５で前方を、門形フレ−ム杆６で後方を支持されており、載置台４から落下することはない。
【００２２】
バスケット１７を取り外すときは蓋１４を上げる。蓋１４と共に連結杆１６が前方へ傾き連結杆１６の下端１６ｂが連結軸１８を下方へと押し下げ、バスケット支持杆５も連動して下方へ押下されるのである。支持杆５から開放されたバスケット１７を載置台４から下ろしレジや車内或は家へと持ち運ぶのである。
【００２３】
図９が請求項１にかかる手押車１を折り畳んだ状態を示す説明図である。
【００２４】
バスケット１７を取り外して、蓋の凹部１４ａが門形フレ−ム６に当接するまで蓋１４を前方へ傾ける。一方、把持杆９は後方へ１８０度回転させることができるので小さく折り畳むことができるのである。
【００２５】
次に請求項２に記載した手押車の最適な実施形態について図面を参照しながら説明する。
【００２６】
図１０及び図１１が手押車２０のフレ−ム構造を示す説明図である。
【００２７】
手押車２０は一対の前輪及び後輪と両脚を水平状に延出した、把持部を有する門形のフレ−ムハンドル杆及びバスケット載置台とからフレ−ム構成され、門形フレ−ムハンドル杆の上方に蓋を取り付け、バスケットを支持、固定するバスケット支持杆と蓋とを連結杆で連結するのである。
【００２８】
門形フレ−ムハンドル杆の略水平状に延出した水平部２６ｂと一対の前輪２１−２１を連結する車軸２３とを直接連結し、一対の後輪２２−２２を連結する車軸２４とはブラケット２５−２５を介して連結する。前後の車輪２１−２２及び車軸２３、２４及び門形フレ−ムハンドル杆の水平部２６ｂから成る下部フレ−ム上に、バスケット載置台２８を取り付けるのである。
【００２９】
把持部２７を有する門形フレ−ムハンドル杆２６の立設部２６ａの上方にプラスチックあるいは合成樹脂材材製の蓋２９の凹部２９ａを回動自在にネジ３０で取り付ける。蓋２９の後方には平形あるいは下端部３１ｂをフランジ状に形成した連結杆３１の上端部３１ａを回動自在に取り付ける。この連結杆３１の下端部３１ｂを大型バスケット（図示せず）を支持、固定するバスケット支持杆３２の折曲形成した脚部３２ａに連結ネジ３３或はリベットで枢着する。
【００３０】
連結杆３１には両端部を側面視においてＬ形形状に折曲した丸棒を使用しても良い。蓋２９及びバスケット支持杆３２との連結方法は請求項１記載の手押車と同様である。
【００３１】
バスケットを取り外すときは蓋２９を上げる。蓋２９がネジ３０を中心に回動すると共に連結杆３１が前方へ傾き連結杆３１の下端３１ｂが連結ネジ３３を下方へと押し下げ、バスケット支持杆３２も連動して下方へ押下されるのである。バスケット支持杆３２から開放されたバスケットを載置台２８から下ろし、レジや車内或は家へと持ち運ぶのである。
【産業上の利用可能性】
【００３２】
本発明はバスケット等の荷物収納篭或はケ−スを有する手押車に利用可能である。
【図面の簡単な説明】
【００３３】
【図１】篭付き手押車１の正面図。
【図２】同、右側面図。
【図３】同、背面図。
【図４】ハンドル杆を傾けた状態を示す斜視図。
【図５】同、蓋を開けた状態を示す説明図。
【図６】手押車１の構造を示す説明図。
【図７】揺動杆操作部を示す一部拡大説明図。
【図８】蓋の斜視図。
【図９】手押車１を折り畳んだ状態を示す説明図。
【図１０】請求項２記載の手押車２０の構造図。
【図１１】同、フレ−ム構造図。
【符号の説明】
【００３４】
１、２０、篭付き手押車    ２、２１、前輪    ３、２２、後輪
４、２８、バスケット載置台    ６、門形フレ−ム杆
７、ブラケット    ８、２７、把持部    ９、２６、ハンドル杆
１０、係止杆    １１、係止板    １２、係止杆    １３、バネ
１４、２９、蓋    １８、３３、連結ネジ  ２３、２４、車軸
【図１】
2006347474.tif 000003
【図２】
2006347474.tif 000004
【図３】
2006347474.tif 000005
【図４】
2006347474.tif 000006
【図５】
2006347474.tif 000007
【図６】
2006347474.tif 000008
【図７】
2006347474.tif 000009
【図８】
2006347474.tif 000010
【図９】
2006347474.tif 000011
【図１０】
2006347474.tif 000012
【図１１】
2006347474.tif 000013